【手続補正書】
【提出日】平成15年12月2日(2003.12.2)
【手続補正１】
【補正対象書類名】明細書
【補正対象項目名】発明の名称
【補正方法】変更
【補正の内容】
【発明の名称】対物レンズ駆動装置ならびにそれを用いた光ディスク装置
【手続補正２】
【補正対象書類名】明細書
【補正対象項目名】特許請求の範囲
【補正方法】変更
【補正の内容】
【特許請求の範囲】
【請求項１】
光ビームを光ディスク上に集光させる対物レンズと、
該対物レンズをその光軸方向に駆動するための力を発生させるフォーカシングコイルと、
前記対物レンズをその光軸と直角方向に駆動するための力を発生させるトラッキングコイルと、
前記対物レンズを前記光ディスクの半径方向に傾動する傾動コイルと、
前記対物レンズを保持するレンズホルダと、
前記フォーカシングコイル、トラッキングコイル、傾動コイルに対して磁束を発生させるマグネットと、
前記対物レンズ、レンズホルダ、フォーカシングコイル、トラッキングコイル、傾動コイルを含む可動部に一端が固定されて該可動部を弾性支持する複数の弾性支持部材と、
該弾性支持部材の他端が固定される固定部とを備え、
前記傾動コイルを前記フォーカシングコイルと巻回軸が略同軸上になるように配置したことを特徴とする対物レンズ駆動装置。
【請求項２】
前記傾動コイルを、前記フォーカシングコイルの上側または下側に配置したことを特徴とする請求項１に記載の対物レンズ駆動装置。
【請求項３】
前記傾動コイルを、前記フォーカシングコイルの内層部または外層部に配置したことを特徴とする請求項１に記載の対物レンズ駆動装置。
【請求項４】
前記マグネットを、前記対物レンズの略中心に対し、光ディスク半径方向の両側に少なくとも１組以上、かつ、前記対物レンズの略中心に対し、光ディスク接線方向の両側に少なくとも１組以上配置したことを特徴とする請求項１ないし３のいずれかに記載の対物レンズ駆動装置。
【請求項５】
前記フォーカシングコイルおよび前記傾動コイルを、前記対物レンズの略中心に対し、光ディスク半径方向の両側に少なくとも各々１組以上配置したことを特徴とする請求項１ないし４のいずれかに記載の対物レンズ駆動装置。
【請求項６】
前記トラッキングコイルを、前記対物レンズの略中心に対し、光ディスク接線方向の両側に少なくとも１組以上配置したことを特徴とする請求項１ないし５のいずれかに記載の対物レンズ駆動装置。
【請求項７】
前記マグネットのうち、少なくとも１組以上は同一面内に異なった極性を有することを特徴とする請求項１ないし６のいずれかに記載の対物レンズ駆動装置。
【請求項８】
前記マグネットと対向する位置に配置されたヨーク立上げ部を備え、該ヨーク立上げ部の厚さを、ヨーク他部分とは異なった厚さにしたことを特徴とする請求項１ないし７のいずれかに記載の対物レンズ駆動装置。
【請求項９】
前記弾性支持部材が、前記フォーカシングコイル、トラッキングコイル、傾動コイルに電流を供給する６本の導電性を有する弾性支持部材によって構成されたことを特徴とする請求項１ないし８のいずれかに記載の対物レンズ駆動装置。
【請求項１０】
光ビームを光ディスク上に集光させるための対物レンズを駆動する対物レンズ駆動装置を備えた光ディスク装置において、前記対物レンズ駆動装置が請求項１ないし９のいずれかに記載の対物レンズ駆動装置であることを特徴とする光ディスク装置。
【請求項１１】
前記光ディスクから読み取った信号からジッタ−量を算出し、このジッタ−量を小さくするように傾動駆動信号が生成する傾動駆動回路を設け、この傾動駆動回路からの信号により前記傾動コイルに電流を供給することを特徴とする請求項１０に記載の光ディスク装置。
【手続補正３】
【補正対象書類名】明細書
【補正対象項目名】００１６
【補正方法】変更
【補正の内容】
【００１６】
本発明は上記の課題を解決するためになされたもので、対物レンズと光ディスクの相対角度を常に一定に保ち、安定した光ディスクへの書き込み、光ディスクからの読み出しを可能とした対物レンズ駆動装置ならびにそれを用いた光ディスク装置を実現することを目的としている。


【手続補正４】
【補正対象書類名】明細書
【補正対象項目名】００１７
【補正方法】変更
【補正の内容】
【００１７】
【課題を解決するための手段】
上記目的を達成するために、本発明の第１の手段は、光ビームを光ディスク上に集光させる対物レンズと、
該対物レンズをその光軸方向に駆動するための力を発生させるフォーカシングコイルと、
前記対物レンズをその光軸と直角方向に駆動するための力を発生させるトラッキングコイルと、
前記対物レンズを前記光ディスクの半径方向に傾動する傾動コイルと、
前記対物レンズを保持するレンズホルダと、
前記フォーカシングコイル、トラッキングコイル、傾動コイルに対して磁束を発生させるマグネットと、
前記対物レンズ、レンズホルダ、フォーカシングコイル、トラッキングコイル、傾動コイルを含む可動部に一端が固定されて該可動部を弾性支持する複数の弾性支持部材と、
該弾性支持部材の他端が固定される固定部とを備え、
前記傾動コイルを前記フォーカシングコイルと巻回軸が略同軸上になるように配置したことを特徴とする。


【手続補正５】
【補正対象書類名】明細書
【補正対象項目名】００１８
【補正方法】変更
【補正の内容】
【００１８】
本発明の第２の手段は前記第１の手段において、前記傾動コイルを、前記フォーカシングコイルの上側または下側に配置したことを特徴とするものである。
【手続補正６】
【補正対象書類名】明細書
【補正対象項目名】００１９
【補正方法】変更
【補正の内容】
【００１９】
本発明の第３の手段は前記第１の手段において、前記傾動コイルを、前記フォーカシングコイルの内層部または外層部に配置したことを特徴とするものである。
【手続補正７】
【補正対象書類名】明細書
【補正対象項目名】００２０
【補正方法】変更
【補正の内容】
【００２０】
本発明の第４の手段は前記第１ないし３の手段において、前記マグネットを、前記対物レンズの略中心に対し、光ディスク半径方向の両側に少なくとも１組以上、かつ、前記対物レンズの略中心に対し、光ディスク接線方向の両側に少なくとも１組以上配置したことを特徴とするものである。
【手続補正８】
【補正対象書類名】明細書
【補正対象項目名】００２１
【補正方法】変更
【補正の内容】
【００２１】
本発明の第５の手段は前記第１ないし４の手段において、前記フォーカシングコイルおよび前記傾動コイルを、前記対物レンズの略中心に対し、光ディスク半径方向の両側に少なくとも各々１組以上配置したことを特徴とするものである。
【手続補正９】
【補正対象書類名】明細書
【補正対象項目名】００２２
【補正方法】変更
【補正の内容】
【００２２】
本発明の第６の手段は前記第１ないし５の手段において、前記トラッキングコイルを、前記対物レンズの略中心に対し、光ディスク接線方向の両側に少なくとも１組以上配置したことを特徴とするものである。
【手続補正１０】
【補正対象書類名】明細書
【補正対象項目名】００２３
【補正方法】変更
【補正の内容】
【００２３】
本発明の第７の手段は前記第１ないし６の手段において、前記マグネットのうち、少なくとも１組以上は同一面内に異なった極性を有することを特徴とするものである。
【手続補正１１】
【補正対象書類名】明細書
【補正対象項目名】００２４
【補正方法】変更
【補正の内容】
【００２４】
本発明の第８の手段は前記第１ないし７の手段において、前記マグネットと対向する位置に配置されたヨーク立上げ部を備え、該ヨーク立上げ部の厚さを、ヨーク他部分とは異なった厚さにすることを特徴とするものである。
【手続補正１２】
【補正対象書類名】明細書
【補正対象項目名】００２５
【補正方法】変更
【補正の内容】
【００２５】
本発明の第９の手段は前記第１ないし８の手段において、前記可動部を弾性支持する前記弾性支持部材が、前記フォーカシングコイル、トラッキングコイル、傾動コイルに電流を供給する６本の導電性を有する弾性支持部材によって構成されていることを特徴とするものである。
本発明の第１０の手段は光ビームを光ディスク上に集光させるための対物レンズを駆動する対物レンズ駆動装置を備えた光ディスク装置において、前記対物レンズ駆動装置が第１ないし９の手段の対物レンズ駆動装置であることを特徴とするものである。
本発明の第１１の手段は前記第１０の手段において、前記光ディスクから読み取った信号からジッタ−量を算出し、このジッタ−量を小さくするように傾動駆動信号が生成する傾動駆動回路を設け、この傾動駆動回路からの信号により前記傾動コイルに電流を供給することを特徴とするものである
【手続補正１３】
【補正対象書類名】明細書
【補正対象項目名】００３９
【補正方法】変更
【補正の内容】
【００３９】
第３の実施形態において特徴的な点は、ヨーク１に設けられた立上げ部１ｂ，１ｃの中央部に分割位置決め部１ｈ，１ｉがあり、光ディスク接線方向に４個のマグネット１１ａ，１１ｂ，１２ａ，１２ｂが配置されていることである。なお、前記分割位置決め部１ｈ，１ｉおよび前記マグネット１１ａ，１１ｂ，１２ａ，１２ｂの配置以外は、実施形態１または実施形態２と同様の構成となっており、やはり同様の効果を得ることができるのは言うまでもない。